(57)【要約】      （修正有）【課題】扉、上蓋の開閉、工作機械等の直線移動機構部等に直線上を伸縮する駆動装置を設けて上蓋を６０度以上９０度まで開閉する腐食試験装置を提供する。【解決手段】上蓋は試験槽の背面左右にあるヒンジで接続され、ヒンジには同一の支点で一方の端を固定されたフラットバーが存在し、フラットバーの他方の端には高圧ガスが封入された直線上を伸縮する駆動装置と接続されている。フラットバーに直線上を伸縮する駆動装置を固定している固定座の真上には上蓋に固定されたL字金具があり、直線上を伸縮する駆動装置からの上方への力を伝え、６０度に達すると直線上を伸縮する駆動装置は伸びきる。そこで更に６０度以上、９０度までを開閉するように、直線上を伸縮する駆動装置が伸びきった後にも簡易に持ち上げることができ、容易に開けることができる。    【選択図】図２
0003158873.tif 000002
【実用新案登録請求の範囲】
【請求項１】
上蓋に付属された、L字型の押さえと
一方の端を試験槽のヒンジと接続されかつ中心を同じくしてあり、他方の端が直線上を伸縮する駆動装置と接続されかつ上蓋と接続されているバーと、
一方の端が試験槽からのび、他方の端がヒンジから伸びるバーに接続されている直線上を伸縮する駆動装置を備え、直線上を伸縮する駆動装置とバーの接続部は、直線上を伸縮する駆動装置の圧力により下方から上方へ持ち上げる力が働いており、
上蓋が閉められた状態の時、前述の直線上を伸縮する駆動装置とバーの接続部は、前述のL字型の押さえに下方から接地する、小さな力で広角度に開閉可能なことを特徴とする開閉補助器具を備えた試験機。
【請求項２】
請求項1記載のバーと直線上を伸縮する駆動装置の接続部が回転自由であることを特徴とした請求項1記載の開閉補助器具を備えた試験機。
【請求項３】
請求項1記載の直線上を伸縮する駆動装置と試験槽の接続部が回転自由であることを特徴とした請求項１に記載の開閉補助器具を備えた試験機。
【請求項４】
請求項１記載のバーが請求項1記載のヒンジ部分で回転自由であることを特徴とした請求項１に記載の開閉補助器具を備えた試験機。
【請求項５】
直線上を伸縮する駆動装置は、上蓋の底面が60度に位置する時まで効力を発揮することを特徴とした請求項1記載の開閉補助器具を備えた試験機。
【請求項６】
上蓋が直線上を伸縮する駆動装置を使用して60度に開けられた状態から更に90度まで簡単に開閉できることを特徴とした請求項1記載の開閉補助器具を備えた試験機。
【考案の詳細な説明】
【技術分野】
【０００１】
本考案は、腐食試験装置に関する。扉、上蓋の開閉、工作機械等の直線移動機構部等に直線上を伸縮する駆動装置を設けて上蓋を６０度以上９０度まで開閉することを特徴とした腐食試験装置に関する。
【背景技術】
【０００２】
従来は、試験槽上部に蓋を設けて左右後部に配置されたヒンジを軸として開閉する上蓋が用いられ、側面に高圧ガスの封入された直線上を伸縮する駆動装置を付属させることで、上蓋を小さな力で開けることができる腐食試験装置が用いられていたが、開閉角度は60度までとなっており、大きな試料を試験槽に入れることができなかった。
【先行技術文献】
【特許文献】
【０００３】
【特許文献１】実用新案第305964号
【考案の概要】
【考案が解決しようとする課題】
【０００４】
従来の開閉装置の場合直線上を伸縮する駆動装置を使用することで、上蓋を小さな力で開閉することができた。しかし、開閉角度が60度までであり、大きな試料を試験槽に入れることができなかった。本考案を使用することで上蓋を90度まで開けられるようになった。その結果、リフターなどを使用して真上から大型の試料を容易にかつ安全に槽内に設置することができるようになった。
【課題を解決するための手段】
【０００５】
上蓋は試験槽背面上部にあるヒンジによって試験槽と接続されており、上蓋が接続されたヒンジには同様にフラットバーが接続されている。フラットバーは一方の端をヒンジに、他方の端を試験槽左右の側面と接続された直線上を伸縮する駆動装置が接続されており、直線上を伸縮する駆動装置と接続されたフラットバーの端は、上蓋のL字金具に下方から接触している。したがって、上蓋には常に直線上を伸縮する駆動装置の圧力が上方へかかっており、上蓋を持ち上げるたびに60度までは容易にあけることができる。直線上を伸縮する駆動装置は60度で伸びきり、直線上を伸縮する駆動装置と接続されたフラットバーの端と接触していたL字金具は分離され、以降は人力によって90度まで開けられることができる。
【考案の効果】
【０００６】
90度まで小さな力で開けるようになったことで、大型の試料を真上からリフターなどの機械を使用して容易に入れることができるようになり、作業性が良くなった。
【図面の簡単な説明】
【０００７】
【図１】ヒンジ部の詳細を示した平面図である。
【図２】全体の動きを示した構造図である。
【考案を実施するための形態】
【０００８】
本考案は腐食試験機の上蓋（１）の開閉を手動で簡易に行う装置に関する。
塩化ビニル樹脂製の試験槽背面の左右角にヒンジで上蓋の回転用支点を備え、同ヒンジ部から別途試験槽側面側を伸びるフラットバー（４）を備える。試験槽の側面に下部支点を備える直線上を伸縮する駆動装置は、上部支点がフラットバー（４）に接続されている。フラットバー（４）は直線上を伸縮する駆動装置の伸びる力によって、上蓋にあるL字金具を下方より押しあげる。開閉角度が60度に達すると直線上を伸縮する駆動装置は伸びきる。60度以降は人力で持ち上げる。上蓋の開閉に必要な力は閉まっている状態時に最大であるので、直線上を伸縮する駆動装置が伸びきった後には９０度まで簡易に持ち上げることができる。
【産業上の利用可能性】
【０００９】
腐食試験機への使用。
【符号の説明】
【００１０】
１ 上蓋
２ ウォーターシール
３ カラー
４ フラットバー
【図１】
0003158873.tif 000003
【図２】
0003158873.tif 000004
【手続補正書】
【提出日】平成22年2月24日(2010.2.24)
【手続補正１】
【補正対象書類名】実用新案登録請求の範囲
【補正対象項目名】全文
【補正方法】変更
【補正の内容】
【実用新案登録請求の範囲】
【請求項１】
上蓋に付属された、L字型の押さえと
一方の端を試験槽のヒンジと接続されかつ中心を同じくしてあり、他方の端が直線上を伸縮する駆動装置と接続されかつ上蓋と接続されているバーと、
一方の端が試験槽からのび、他方の端がヒンジから伸びるバーに接続されている直線上を伸縮する駆動装置を備え、直線上を伸縮する駆動装置とバーの接続部は、直線上を伸縮する駆動装置の圧力により下方から上方へ持ち上げる力が働いており、
上蓋が閉められた状態の時、前述の直線上を伸縮する駆動装置とバーの接続部は、前述のL字型の押さえに下方から接地する、小さな力で広角度に開閉可能なことを特徴とする開閉補助器具を備えた試験機。
【請求項２】
前記バーと直線上を伸縮する駆動装置の接続部が回転自由であることを特徴とした請求項1記載の開閉補助器具を備えた試験機。
【請求項３】
前記直線上を伸縮する駆動装置と試験槽の接続部が回転自由であることを特徴とした請求項１に記載の開閉補助器具を備えた試験機。
【請求項４】
前記バーが前記ヒンジ部分で回転自由であることを特徴とした請求項１に記載の開閉補助器具を備えた試験機。
【請求項５】
直線上を伸縮する駆動装置は、上蓋の底面が60度に位置する時まで効力を発揮することを特徴とした請求項1記載の開閉補助器具を備えた試験機。
【請求項６】
上蓋が直線上を伸縮する駆動装置を使用して60度に開けられた状態から更に90度まで簡単に開閉できることを特徴とした請求項1記載の開閉補助器具を備えた試験機。